(57)【要約】【課題】プロジェクタを使用している会議等で、自席ＰＣや自社（自部門）サーバにある、事前準備をしていないデータを、リモートサーバ等を利用して、簡単にプロジェクタで表示させることを可能にする。【解決手段】開示される遠隔ファイル表示システムは、認証手段110と操作要求手段120と通信手段130とを備えたリモートサーバ100と、操作受入手段210と要求応答手段220と通信手段230とを備えたリモート端末200と、操作指示手段310とデータ送受信手段320とを備えた携帯電話300と、認証手段410とデータ受信手段420とプロジェクタ操作手段430と表示手段440と保存手段450とを備えたプロジェクタ400とからなり、これによって、プロジェクタを使用している会議等で、自席ＰＣや自社（自部門）サーバにある、事前準備をしていないデータを、携帯電話等を利用して、簡単にプロジェクタで表示させることができるようにする。【選択図】図２
2010226399.tif 000002
【特許請求の範囲】
【請求項１】
操作指示とデータ送受信とを行う携帯電話と、該携帯電話からの操作指示とデータ送受信に応じて所要の認証と操作要求とリモート端末との通信とを行うリモートサーバと、該リモートサーバからの操作要求の受入と操作要求に対する応答とリモートサーバとの通信とを行うリモート端末と、前記リモートサーバからの通信に応じて所要の認証とデータの送受信と当該プロジェクタの操作と当該プロジェクタにおける表示と所要のデータ保存とを行うプロジェクタとからなることを特徴とする遠隔ファイル表示システム。
【請求項２】
前記リモートサーバとリモート端末とが同一空間内にあり、前記携帯電話とプロジェクタとが別の同一空間内にあることを特徴とする請求項１記載の遠隔ファイル表示システム。
【請求項３】
前記携帯電話と前記リモートサーバ間の情報伝達が電話回線網を介して行われることを特徴とする請求項１又は２記載の遠隔ファイル表示システム。
【請求項４】
前記リモートサーバと前記プロジェクタ間の情報伝達がインターネット網を介して行われることを特徴とする請求項１乃至３のいずれか一記載の遠隔ファイル表示システム。
【請求項５】
前記リモートサーバとリモート端末相互間の操作指示とデータ送受信がＦＴＰ(File Transfer Protocol)によって行われ、前記リモートサーバと携帯電話相互間の操作指示とデータ送受信がＷＡＰ(Wireless Application Protocol) によって行われ、前記リモートサーバからプロジェクタに対する操作指示とデータ送信がＦＴＰによって行われることを特徴とする請求項１乃至４のいずれか一記載の遠隔ファイル表示システム。
【発明の詳細な説明】
【技術分野】
【０００１】
この発明はリモートサーバを利用した遠隔ファイル表示システムにおいて、プロジェクタを使用している会議等で、自席ＰＣ（Personal Computer)や自社（自部門）サーバにある、事前準備をしていないデータを、携帯電話等を利用して、簡単にプロジェクタで表示させることを可能にする、遠隔ファイル表示システムに関する。
【背景技術】
【０００２】
プレゼンテーションを行う際に、適切な説明資料があれば、聴講者の質問等に対して、より理解を深めさせることができ、従って、プレゼンテーションの質の向上を期待できることになる。
しかしながら、聴講者からどんな質問が提起されるかを完全に予想することは難しい。また、質問を予想できたとしても、それに対する応答を理解しやすくするための、すべての資料を予め準備することも難しい。
しかし、状況に応じて、その都度、所持しているデータから有用と思われるものを引き出すことができれば、これらの問題は解消できることになる。
【０００３】
これに対して特許文献１においては、ネットワークおよび映像モニタに接続するＳＴＢ(Set Top Box) が、プレゼンテーション管理サーバへの接続制御情報を表示する際に、この接続制御情報を使って、携帯電話によりプレゼンテーション管理サーバにアクセスする。そして、プレゼンテーション管理サーバの変換機能を使って、プレゼンテーションファイルを映像化し、画像ファイルを生成する。携帯電話からの操作指示に従い、当該プレゼンテーション管理サーバが、当該画像ファイルのうちの指定部分をＳＴＢに送信する。ＳＴＢは、プレゼンテーション管理サーバからの画像を受信し、映像モニタに出力することによって、ファイルを持ち歩かずに、プレゼンテーションを行えるようにする、ファイル表示方法及びシステム、並びに画像受信装置が開示されている。
【０００４】
しかしながら、特許文献１記載の技術では、プレゼンテーション管理サーバに登録されているファイルは表示できるが、同一ネットワーク内のすべての端末にあるファイルを表示させることはできない。
【先行技術文献】
【特許文献】
【０００５】
【特許文献１】特開２００７−１２９２９６号公報
【発明の概要】
【発明が解決しようとする課題】
【０００６】
従来は、プロジェクタを用いてデータを表示させるためには、接続しているＰＣに事前にデータを準備しておく必要があった。そのため会議中等の場合に、急遽、プロジェクタで表示させたいデータ等があったときは、そのデータをプロジェクタに接続されているＰＣに転送させなければならない。このような従来の方法では、難点として次の二つが考えられる。
(1)  データが入っているＰＣから、データを取り出さなければならない。
(2)  プロジェクタに接続されているＰＣに、データを転送しなければならない。
【０００７】
第１の難点の理由は、客先などを訪問している場合等には、データが入っているＰＣに、データを取り出しに行くことができないからである。
第２の難点の理由は、予めＰＣを持参していない場合には、プロジェクタに接続している、客先所持のＰＣにデータを挿入する必要があるが、客先所持のＰＣに安易にデータを挿入することができない場合も多いからであり、また、自部門所有でないＰＣにデータを挿入することはセキュリティの面からも避けることが望ましいからである。
【０００８】
そこで、電子メディアを使用してプレゼンテーションを行う場合に、プレゼンテーション用の資料を持ち運びすることなく、遠隔地でのプレゼンテーションを行うことを可能にする、遠隔用情報表示方式を実現する必要があるが、そのためには、次の二つの機能を具備することが必要であり、これによって従来の方法の課題を解決することができる。
(1)  プロジェクタに通信機能と記憶機能を装備する。
(2)  リモートサーバを経由させることによって、携帯電話，ＰＣ，プロジェクタ間のデータ操作と通信を可能にする。
【０００９】
これらの機能を具備することによって、プロジェクタで表示させようとする資料が自席ＰＣや自社（自部門）サーバに登録されている場合に、遠隔地におけるプレゼンテーション資料を、携帯電話等を利用して、簡単にプロジェクタで表示させることができるようになる。
【００１０】
この発明はこのような事情に鑑みてなされたものであって、リモートサーバを利用した遠隔ファイル表示システムにおいて、これらの機能を具備することによって、プロジェクタ資料が自席ＰＣや自社（自部門）サーバに登録されている場合に、遠隔地におけるプレゼンテーション資料を、携帯電話等を利用して、簡単にプロジェクタで表示させることができるようにすることを目的としている。
【課題を解決するための手段】
【００１１】
上記課題を解決するため、この発明は遠隔ファイル表示システムに係り、操作指示とデータ送受信とを行う携帯電話と、該携帯電話からの操作指示とデータ送受信に応じて所要の認証と操作要求とリモート端末との通信とを行うリモートサーバと、該リモートサーバからの操作要求の受入と操作要求に対する応答とリモートサーバとの通信とを行うリモート端末と、前記リモートサーバからの通信に応じて所要の認証とデータの送受信と当該プロジェクタの操作と当該プロジェクタにおける表示と所要のデータ保存とを行うプロジェクタとからなることを特徴としている。
【発明の効果】
【００１２】
この発明の遠隔ファイルシステムによれば、第１の効果として、プレゼンテーションの際に議論の展開に応じて、自席ＰＣ上にあるその場に適した必要データを活用することができるようになる。また、プロジェクタのログインＩＤを知れば、発表者以外の人でも、自分が所持しているデータからプロジェクタを利用した説明を行うことができるので、各人が持つデータを最大限に活用した、質の高い議論を行うことが可能となる。
【００１３】
また、第２の効果として、移動を伴うプレゼンテーションの場合でも、必要なデータを持ち運ぶ必要がなくなり、必要データの持参忘れや移動中の紛失を防止することができるようになる。
【図面の簡単な説明】
【００１４】
【図１】本発明の遠隔ファイル表示システムの実施形態を示す図である。
【図２】本発明の遠隔ファイル表示システムにおける各部の機能を示す図である。
【図３】本発明の遠隔ファイル表示システムの動作を説明する図である。
【図４】本発明の遠隔ファイル表示システムにおける通信プロトコルを示す図である。
【発明を実施するための形態】
【実施形態】
【００１５】
以下、この発明の一実施形態について、図面を参照しながら詳細に説明する。
図１は、本発明の遠隔ファイル表示システムの構成を示したものであって、リモートサーバ１００と、リモート端末２００と、携帯電話３００と、プロジェクタ４００とからなることが示されている。これらのうち、リモートサーバ１００とリモート端末２００、及び携帯電話３００とプロジェクタ４００は、それぞれ同一空間内に配置されている。
リモート端末２００は、例えば自席ＰＣからなっているが、同等の機能を有するものであれば、他の制御用機器であってもよい。
【００１６】
図１に示されるように、リモートサーバ１００が携帯電話３００との間で相互にデータの伝達を行うとともに、リモート端末２００との間で相互にデータの伝達を行って、プロジェクタ４００にデータを伝達する。
【００１７】
このように、リモートサーバ１００が、携帯電話３００，リモート端末２００，プロジェクタ４００間の情報の伝達を仲介することによって、例えば自席ＰＣにあるデータを、プロジェクタ４００に接続されているＰＣに転送させる必要なしに、プロジェクタ４００に表示させることが可能になる。
【００１８】
図２は、本発明の遠隔ファイル表示システムを構成する各部の機能を説明するものであって、リモートサーバ１００と、リモート端末２００と、携帯電話３００と、プロジェクタ４００と、電話回線網５００と、インターネット網６００とが示されている。
【００１９】
リモートサーバ１００の役割は、携帯電話３００，リモート端末２００，プロジェクタ４００間のデータと操作要求とを仲介することである。そのために必要なリモートサーバ１００の機能としては、リモート端末２００に対して操作を行うことを許可するための認証手段１１０、携帯電話３００から送られてくる操作要求をリモート端末２００へ仲介する操作要求手段１２０、リモート端末２００，携帯電話３００，プロジェクタ４００のそれぞれの装置との通信を行う通信手段１３０が挙げられる。
【００２０】
リモート端末２００の役割は、携帯電話３００から要求を受けた操作に対する応答と、データの送信である。そのために必要なリモート端末２００の機能としては、リモートサーバ１００を介して、携帯電話３００から送られてくる操作要求を受け入れる操作受入手段２１０と、その操作要求に対する応答を行う要求応答手段２２０と、リモートサーバ１００との間で必要情報を通信するための通信手段２３０が挙げられる。
【００２１】
携帯電話３００の役割は、リモートサーバ１００を介するリモート端末２００との操作のやりとりと、プロジェクタ４００へのデータ転送要求とを行うことである。そのために必要な携帯電話３００の機能としては、携帯電話３００からリモート端末２００に対する操作要求を行うための操作指示手段３１０と、操作内容や必要情報を通信するためのデータ送受信手段３２０が挙げられる。
【００２２】
プロジェクタ４００の役割は、受信データの認証と、受信，投影，データの操作を行うことである。そのために必要なプロジェクタ４００の機能としては、表示するために送られてきたデータを受け入れるか否かを判断するための認証手段４１０と、表示すべきデータを受信するためのデータ受信手段４２０と、受信したデータを操作するためのプロジェクタ操作手段４３０と、データを表示するための表示手段４４０と、受信したデータを格納するための保存手段４５０が挙げられる。
【００２３】
図３は、本発明の動作を説明するものであって、遠隔ファイル表示システムを構成する、リモートサーバ１００，リモート端末２００，携帯電話３００，プロジェクタ４００間の処理を、どのような流れで行うかを示している。
【００２４】
リモート端末２００の操作を行うために、ユーザは携帯電話３００からリモートサーバ１００にログインするための、ログイン操作（３１０Ａ）を行う。携帯電話３００からログイン要求を受けたリモートサーバ１００は、認証処理（１１０）を行ってログインを許可する。
ログインされたユーザは、次にリモート端末である自席ＰＣのデータを取得するための、簡単なＰＣ操作要求（３１０Ｂ）を携帯電話３００で行う。
【００２５】
このＰＣ操作要求は、リモートサーバ１００を介して、ＰＣ操作要求（１２０）として自席ＰＣへ転送される。操作要求を受けた自席ＰＣは、操作要求への応答（２１０）として、その要求に応じた出力を返す。
自席ＰＣからの出力結果は、再度、リモートサーバ１００を介して、ＰＣからの応答を携帯電話に転送（１３０Ａ）によって、操作結果の受信（３１０Ｃ）として、携帯電話３００へ渡される。
【００２６】
ユーザは、この一連の処理の流れによって、携帯電話３００を用いて自席ＰＣの操作を行うことができる。
なお、ここでは，携帯電話３００をリモート端末２００の操作コントローラとして説明しているが、これはあくまで一例であって、リモートサーバ１００を介して自席ＰＣに操作要求を発行する、自席ＰＣ以外のＰＣ等でも、上述した携帯電話３００の役割を果たすことは可能である。
【００２７】
次に、データをプロジェクタ４００に転送させたい場合には、まず、携帯電話３００から、データのプロジェクタへの転送要求（３２０）を行う。
この転送要求は、リモートサーバ１００を介して、データの転送要求（１３０Ｂ）として自席ＰＣへと伝えられる。
【００２８】
この際、携帯電話３００の操作では、目的とするプロジェクタ４００のＩＰ(Internet Protocol) アドレスと認証ＩＤ(Identification)を、リモートサーバ１００を介して自席ＰＣへ伝えなければならない。
なお、この認証ＩＤはセキリュティ上、そのプロジェクタを利用している瞬間のみわかれば十分であるため、プロジェクタ４００を起動するたびにランダムに割り当てられ、図示しないボタンの操作によってプロジェクタ４００からスクリーン上に表示させることができるものとする。
また、一度割り振られた認証ＩＤは、プロジェクタ４００の電源をオフにすることによって、リセットされる。
【００２９】
データの転送要求を受けた自席ＰＣは、データに目的ＩＰアドレスと認証ＩＤをパケットで付加したものを、データをリモートサーバへ送信（２２０）によって、リモートサーバ１００へ転送する。
自席ＰＣからデータを受信したリモートサーバ１００は、受信データをプロジェクタへ転送（１３０Ｃ）によって、目的とするプロジェクタ４００へデータを転送する。
【００３０】
プロジェクタ４００は、自身あてに送られてきたデータがある場合、認証ＩＤを基に認証処理（４１０）を行う。認証可能なデータであった場合は、プロジェクタ４００自身が持つ記憶装置（不図示）で、データ受信（４２０）を行う。
プロジェクタ４００にデータが受信されたら、以後、操作受付（４３０）によって、プロジェクタ４００の操作が可能になる。
【００３１】
プロジェクタ４００が記憶装置にデータの受信を完了したら、プロジェクタ４００に取り付けられた入力装置（不図示）によって、プロジェクタ４００の操作を行って、ユーザは利用したかったデータを、スクリーン上に投影させることができるようになる。
利用を完了したデータは、入力装置からの操作によって消去させることができる。なお、セキュリティ面での問題を考慮して、記憶装置が保持できるデータは最大一つまでなどと制限することによって、電源をオフにした場合にもデータが消去されるようにする。
【００３２】
また、プロジェクタ４００は受信機能しか持たないため、外部へデータ転送を行うことはできない。
【００３３】
図４は、本発明の場合の装置間の通信プロトコルを説明するものである。
図示のように、リモートサーバ１００とリモート端末２００相互間、およびリモートサーバ１００からプロジェクタ４００に対する通信プロトコルとしては、ＦＴＰ(File Transfer Protocol)が用いられ、リモートサーバ１００と携帯電話３００相互間における通信プロトコルとしては、ＷＡＰ(Wireless Application Protocol) が用いられる。
【００３４】
以上、この発明の実施形態を図面を参照して詳述してきたが、具体的な構成はこの実施形態に限られるものではなく、この発明の要旨を逸脱しない範囲の設計の変更等があってもこの発明に含まれる。
【産業上の利用可能性】
【００３５】
この発明の遠隔ファイル表示システムは、プロジェクタを使用している会議等で、自席ＰＣや自社（自部門）サーバにある、事前準備をしていないデータを、携帯電話等を利用して、プロジェクタで表示させる際に広く利用することができる。
【符号の説明】
【００３６】
１００      リモートサーバ
１１０    認証手段
１２０    操作要求手段
１３０    通信手段
２００      リモート端末
２１０    操作受入手段
２２０    要求応答手段
２３０    通信手段
３００      携帯電話
３１０    操作指示手段
３２０    データ送受信手段
４００      プロジェクタ
４１０    認証手段
４２０    データ送受信手段
４３０    プロジェクタ操作手段
４４０    表示手段
４５０    保存手段
【図１】
2010226399.tif 000003
【図２】
2010226399.tif 000004
【図３】
2010226399.tif 000005
【図４】
2010226399.tif 000006